(57)【要約】【課題】  従来、水草が水面上で過度に成長する等して、水質浄化作用が妨げられる等の不都合が起きていた。【解決手段】  本件出願の飼育・植栽用具は、水槽の外側に植栽部が一又は二以上設けられ、水槽と植栽部が同一材料で形成され、二以上の植栽部は水槽の周方向に、又は上下に段差を設けて形成されたことを特徴とするものである。前記植栽部は水槽の上縁近くに設けたり、水槽内に設けたり、両方に設けたりすることができる。植栽部には水槽内と導通する給水孔を開口したり、排水孔を開口したりすることもできる。【選択図】図１
2005168419.tif 000002
【特許請求の範囲】
【請求項１】
水槽の外側に植栽部が一又は二以上設けられ、水槽と植栽部が同一材料で形成され、二以上の植栽部は水槽の周方向に、又は上下に段差を設けて形成されたことを特徴とする飼育・植栽用具。
【請求項２】
請求項１記載の飼育・植栽用具において、植栽部が水槽の上縁近くに設けられたことを特徴とする飼育・植栽用具。
【請求項３】
請求項１又は請求項２に記載の飼育・植栽用具において、植栽部が水槽内に設けられたことを特徴とする飼育・植栽用具。
【請求項４】
前記請求項１乃至請求項３のいずれかに記載の飼育・植栽用具において、植栽部に、水槽内と導通する給水孔が開口されたことを特徴とする飼育・植栽用具。
【請求項５】
前記請求項１乃至請求項４のいずれかに記載の飼育・植栽用具において、植栽部の底寄りに排水孔が開口されたことを特徴とする飼育・植栽用具。
【発明の詳細な説明】
【技術分野】
【０００１】
本発明の飼育・植栽用具は、めだか、金魚、観賞魚等の魚類や、エビ等の甲殻類、カエル等の両生類や、ゲンゴロウ等の昆虫等の水中に生息する動物（以下まとめて「水生動物」という）の飼育と、水草や他の植物の栽培を一つの容器で同時に行うことができるものであって、アクアリウムやアクアテラリウムの用具として使用するのに適し、水生動物の生息に適し、植物の栽培にも適した、自然とほぼ同様のビオトープ（生態系：生態環境）を実現できるものである。
【背景技術】
【０００２】
従来は、水生動物の飼育には水槽が、植物の栽培には植木鉢やプランター等が使用され、水草の栽培には睡蓮鉢や、水槽のような容器が使用されてきた。それらは、水生動物の飼育用、植物の栽培用として別々に用意されていた。近年、これらを組み合わせたものが種々考えられており、例えば、以下の特許文献に示すようなものがある。
【０００３】
【特許文献１】特開２００２−１０２８８４号公報。
【特許文献２】特開平１１−２８９８９３号公報。
【特許文献３】特開平９−２３３９７０号公報。
【特許文献４】特開平７−２５０５８８号公報。
【特許文献５】特開平８−１３１０１８号公報。
【特許文献６】特開平１０−１６２６０９号公報。
【特許文献７】特開平５−１８４２１５号公報。
【特許文献８】特開２００２−２１８８４６号公報。
【特許文献９】特開平７−９７８３１号公報。
【特許文献１０】特開平７−２１３１７９号公報。
【特許文献１１】特開昭６０−２１７８３７号公報。
【特許文献１２】特開昭６１−９２５１６号公報。
【特許文献１３】特開平７−２５０５８８号公報。
【特許文献１４】特開平３−３５７３６号公報。
【特許文献１５】特開平９−８４４８９号公報。
【特許文献１６】特開平１０−１９１８２８号公報。
【特許文献１７】特開２０００−３７１４９号公報。
【特許文献１８】実開昭５６−１２５０５８号公報。
【特許文献１９】実開昭５０−１１９５４７号公報。
【特許文献２０】実開平６−４５４５０号公報。
【特許文献２１】実開昭６２−１６２９６３号公報。
【特許文献２２】実開平１−１１２６６４号公報。
【特許文献２３】実開昭６２−６４２７５号公報。
【特許文献２４】実用新案登録第３０５９２３１号公報。
【発明の開示】
【発明が解決しようとする課題】
【０００４】
上記特許文献に記載の発明及び考案は、既存の、別体の水槽と植木鉢とを単に組み合わせたにすぎないものや、既存の水槽内を二つに仕切って一方を植木鉢として使用し、他方を水槽として使用するにすぎないものであって、次のような課題がある。
（１）別体の水槽と植木鉢とを組み合わせるものは、組み合わせるための用具を用意しなければならず、組み合わせが面倒である。
（２）既存の水槽内を仕切って植木鉢と水槽に分けるものは、水槽内を区分しただけにすぎず、水槽から植木鉢に給水されるにすぎない。
（３）既存の、別体の水槽と植木鉢とを組み合わせるもの等は、ポンプや濾過システム等の器具を必要とするものもあり、それらの器具を揃えるために全体がコスト高となることや、フィルターの交換等のメンテナンスの手間がかかることや、ポンプ等を動かすための電源の確保のために水槽を置く場所が限定されること等の課題がある。
（４）水槽と植木鉢とを組み合わせたものであっても、水草や浮き草は水槽に入れたり浮かべたりしなければならない。ホテイアオイとかこれに類する浮き草は水の浄化のためには必要であるが、成長して大きくなると水槽の水面が覆われてしまい、水槽内で飼育しているメダカや観賞魚等が見えにくくなる。また、水中の水草に十分に光が当たらず、水草が繁殖しにくくなったり、光合成による水中への溶存酸素量が減少して、水質浄化が進まなくなると同時に、好気性バクテリアが水中で繁殖しにくくなる。一方、水は、水中に残った餌や、魚の排泄物等の有機物質が、腐敗して亜硝酸やアンモニアが発生しやすくなる。しかし前記の通り、水中に好気性バクテリアが繁殖しないため、それらが分解されず、水が汚れて、魚が生存しにくくなる。
（５）いずれの特許文献にも、植木鉢に植えた植物と水槽内で飼育中の水生動物とが相互に補完しあって、植物の栽培や水生動物の生息に適したビオトープを実現するという発想は全くない。
【課題を解決するための手段】
【０００５】
本発明の飼育・植栽用具は、単なる水槽とも、単なる植木鉢とも、また、それらの単なる組み合わせとも異なる飼育・植栽用具であって、同一材料で一体成形した一つの容器に水槽と植木鉢の両機能を実現し、しかも、水槽で飼育する水生動物と植木鉢で植栽する植物とが相互に補完しあって、水生動物の飼育と植物の栽培の両方に適したビオトープを実現可能なものである。
【０００６】
本件出願の飼育・植栽用具は、水槽の外側に植栽部が一又は二以上設けられ、水槽と植栽部が同一材料で形成され、二以上の植栽部は水槽の周方向に、又は上下に段差を設けて形成されたことを特徴とするものである。前記植栽部は水槽の上縁近くに設けたり、水槽内に設けたり、両方に設けたりすることができる。植栽部には水槽内と導通する給水孔を開口したり、排水孔を開口したりすることもできる。
【０００７】
本件出願の飼育・植栽用具には次のような効果がある。
（１）水槽の外側に植栽部が一又は二以上設けられ、水槽と植栽部が同一材料で形成され、二以上の植栽部は水槽の周方向に、又は上下に段差を設けて形成されているので、該植栽部で植物を育てれば、浮き草や、それに代わる観葉植物等（水栽培に適したもの等）が成長しても、水中の水草の光合成を妨げず、水の浄化作用を確保でき、また、魚等の水生動物も健康に飼育することができる。従って、ポンプ等の他の器具も必要なく、外観も美しく、またコスト減にも資する。また、水槽の内部で飼育する魚等の水生動物も浮き草等に遮られることなく鑑賞することができる。
（２）植栽部を二以上設けた場合には、元来の生育環境が異なる複数種類の植物の植栽が可能となる。
（３）水槽の外側に植栽部が一又は二以上設けられ、水槽と植栽部が同一材料で形成されているので、デザイン性にも富み、見る者を楽しませることができる。
（４）植栽部が水槽の上縁近くに設けられているので、該植栽部において植栽すれば、水槽内に光を十分に供給できるだけでなく、水槽内に植物による陰をも任意に作成することもでき、より自然と同様のビオトープを実現しやすくなり、水生動物も健康に飼育することができる。また、浮き草ではなく、本来水面上に生育しない植物（水栽培に適する観葉植物等）を水面近くで育てることができ、育てられる植物のバリエーションを増やして独自のビオトープを実現することもでき、視覚的にも見る者を楽しませることができる。
（５）植栽部が水槽内に設けられているので、水底だけでなく水中の棚場等から水草が生えている状態をも簡単に再現でき、より自然と同様のビオトープを実現しやすくなり、水生動物も健康に飼育することができる。
（６）植栽部に、水槽内と導通する給水孔が開口されたので、植栽部に植えた植物への水やりが不要となり、水面より上方にある土壌にも、毛細管現象により適量の水を供給することができ、根腐れも防止することができる。従って、本来水中や水辺に生育する植物等であっても水槽外で手間を掛けずに育てることができる。また、植栽部に植えた植物による水槽内の水の浄化作用も期待できる。
（７）植栽部の底寄りに排水孔が開口されたので、植栽部に植えた植物が根腐れを起こすことがない。
【発明を実施するための最良の形態】
【０００８】
（実施形態１）
本発明の飼育・植栽用具の実施形態の一例を、図面を示して詳細に説明する。本実施形態の飼育・植栽用具は、図１（ａ）（ｂ）に示すように、外形が略球体の容器１であって、水槽部２、内部植栽部３、上縁植栽部４、側面植栽部５の各部に分かれてなるものである。該容器１は同一材料で一体成形された陶器製の容器であって、ポンプ、濾過装置等の器具等を使用しないで水生動物や植物を飼育・植栽することができるものである。
【０００９】
前記水槽部２は、図１（ａ）（ｂ）に示すように、容器１の中央部分に設けられており、同図に示すように、内部に水６を入れ、底に敷いた土壌９に植物７ａを植えたり、水中に植物７ａを浮かせたりして、水生動物８を飼育することができる部分である。水槽部２に配置する植物７ａには、例えばマツモ等の水草や、ホテイアオイ等の浮き草等、水中で生育可能な植物を用いる。水生動物８は、メダカや金魚等の鑑賞魚等の魚類を入れることができるほか、魚類以外にも、エビや、カニ等の甲殻類や、トカゲ等の爬虫類や、カエル等の両生類や、ゲンゴロウやタガメ等の水中で生活する昆虫や、ミジンコ等の微生物等、任意の水生動物を入れることができる。
【００１０】
前記内部植栽部３は、図１（ａ）（ｂ）に示すように、前記水槽部２の内周面に周方向に設けられており、同図に示すように、内部に土壌９を入れて植物７ａを植栽することができる部分である。内部植栽部３の水槽部２側の側面には、水槽部２内と導通する給水孔１０が複数開口されており、水槽部２内から内部植栽部３内の土壌９に直接給水できるようにしてある。また、内部植栽部３の上部には、水槽部２内に向けて、植栽した植物７ａを突出させられるように、窓状の開口部１１が複数形成されている。開口部１１は、内部植栽部３の上方を大きく一つに切り欠いたものとすることもできる。前記土壌９には、土、砂利、砂、ハイドロボール、ウレタン等任意の物質を用いることができる。内部植栽部３内に植栽する植物７ａには、前記の水槽部２に配置したものと同様の植物を用いることができる。
【００１１】
前記上縁植栽部４は、図１（ａ）（ｂ）に示すように、前記水槽部２の上縁部の外周面に周方向に設けられており、同図に示すように、内部に土壌９を入れて植物７ｂを植栽することができる部分である。上縁植栽部４の水槽部２側の側面には、水槽部２と導通する給水孔１０が複数開口されており、水槽部２内から上縁植栽部４内の土壌９に直接給水できるようにしてある。水面より上方にある上縁植栽部４内の土壌９にも、毛細管現象によって適量の水を供給することができる。また、上縁植栽部４の上部には、容器１の外方に向けて、植栽した植物７ｂを突出させられるように、窓状の開口部１１が複数形成されている。開口部１１は、上縁植栽部４の上方を大きく一つに切り欠いたものとすることもできる。土壌９には、前記同様任意の物質を用いることができる。また、上縁植栽部４に植栽する植物７ｂには、アジアンタムや、ポトスや、ワイヤープランツや、アイビーや、オモダカ等のような水辺での生育に適する植物や、ヒヤシンスやクロッカス等の水栽培に適する植物等を植えることができる。また、土壌９の含水量に応じて、前記７ａのような水中で生育する植物を植えることもできる。
【００１２】
前記側面植栽部５は、図１（ａ）（ｂ）に示すように、前記水槽部２の外周面に周方向に設けられており、同図に示すように、内部に土壌９を入れて植物７ａを植栽することができる部分である。側面植栽部５には、前記内部植栽部３等のように水槽部２と導通する給水孔は開口されておらず、水槽部２内から直接側面植栽部５内に給水することはできないようにしてある。また、側面植栽部５の上部には、容器１の外方に向けて、植栽した植物７ｃを突出させられるように、側面植栽部５の上方を大きく一つに切り欠いた開口部１１が一つ形成されている。開口部１１は、内部植栽部３の上方に、小さい窓状の開口部を複数形成することもできる。土壌９には、前記同様任意の物質を用いることができる。側面植栽部５に植栽する植物７ｃには、通常の環境下で、プランター等で生育可能な植物や、セダム等の多肉植物のような乾燥した環境下で生育可能な植物を植えることができる。なお、側面植栽部５の下方外側面には、水捌け用の排水孔１２が開口されている。
【００１３】
（実施形態２）
本発明の飼育・植栽用具は、図２（ａ）（ｂ）に示すような形状の容器１とすることもできる。本実施形態の飼育・植栽用具も、基本的な構成態様は、前記実施形態１記載の容器１と共通する。本実施形態の容器１は、図２（ａ）（ｂ）に示すように、水槽部２が略壺型に形成され、前記水槽部２の上縁部の外周面に周方向に上縁植栽部４が設けられ、また、側面植栽部５が、容器の底から上方に広がった鉢形に形成されて、水槽部２の外周面に周方向に設けられているものである。本実施形態の容器１には、内部植栽部は設けていない。上縁植栽部４と側面植栽部５の構成及び機能については、前記実施形態１記載の容器１と共通する。
【００１４】
（実施形態３）
また、本発明の飼育・植栽用具は、図３（ａ）（ｂ）に示すような形状の容器１とすることもできる。本実施形態の飼育・植栽用具も、基本的な構成態様は、前記各実施形態に記載の容器１と共通する。本実施形態の容器１は、図３（ａ）（ｂ）に示すように、水槽部２が略壺型に形成され、前記水槽部２の上縁部の外周面に周方向に上縁植栽部４が設けられ、また、側面植栽部５が、水槽部２の外周面に周方向に上下二段に設けられ、容器１全体の外形が段状の器となるように形成されているものである。本実施形態の容器１も、前記実施形態２と同様に、内部植栽部が形成されていない。二段の下方の側面植栽部５は、上方広がりの盃形の形状に形成されており、その上面には、大きく一つに切り欠かれた開口部１１が形成されている。上縁植栽部４と側面植栽部５の構成及び機能については、前記各実施形態に記載の容器１と共通する。
【００１５】
（実施形態４）
また、本発明の飼育・植栽用具は、図４（ａ）（ｂ）に示すような形状の容器１とすることもできる。本実施形態の飼育・植栽用具も、基本的な構成態様は、前記各実施形態に記載の容器１と共通する。本実施形態の容器１は、図４（ａ）（ｂ）に示すように、水槽部２が鉢型に形成され、水槽部２の内周面の底部から上部に掛けて、水槽部２の周方向に内部植栽部３が設けられ、水槽部２の外周面を覆うように周方向に上縁植栽部４が形成されて、容器１全体として鉢型になるように形成されている。本実施形態の容器１には、側面植栽部５が形成されていない。内部植栽部３と上縁植栽部４の構成及び機能については、前記実施形態１に記載の容器１と共通する。なお、図４（ａ）（ｂ）に示すように、本実施形態の内部植栽部３には、水辺での生育に適する植物や、水栽培に適する植物等の植物７ｂが植栽されている。
【００１６】
（実施形態５）
また、本発明の飼育・植栽用具は、図５（ａ）（ｂ）に示すような形状の容器１とすることもできる。本実施形態の飼育・植栽用具も、基本的な構成態様は、前記各実施形態に記載の容器１と共通する。本実施形態の容器１は、図５（ａ）（ｂ）に示すように、水槽部２が壺型に形成され、水槽部２の上縁部に周方向に上縁植栽部４が設けられ、水槽部２の底部付近の外周面に周方向に側面植栽部５が設けられているものである。本実施形態の容器１も、前記実施形態２と同様に、内部植栽部が形成されていないが、本実施形態の容器１は、係止具１３を容器１の外周に備え、紐１４で吊り下げることができるようにしてある。上縁植栽部４と側面植栽部５の構成及び機能については、前記各実施形態に記載の容器１と共通する。
【００１７】
（実施形態６）
また、本発明の飼育・植栽用具は、図６（ａ）（ｂ）に示すような形状の容器１とすることもできる。本実施形態の飼育・植栽用具も、基本的な構成態様は、前記各実施形態に記載の容器１と共通する。本実施形態の容器１は、図６（ａ）（ｂ）に示すように、容器１の外形を岩や自然石のように形成し、水槽部２の上縁に上縁植栽部４を形成し、また、水槽部２の上縁から上方に側面植栽部５が突設されているものである。本実施形態においては、上縁植栽部４と側面植栽部５とは、必ずしも水槽部２の周方向に設ける必要はない。上縁植栽部４と側面植栽部５の構成及び機能については、前記各実施形態に記載の容器１と共通する。
【００１８】
（実施形態７）
前記各実施形態に記載の容器は、陶器製のものとしていたが、本発明の飼育・植栽用具は、図７（ａ）（ｂ）に示すように、容器１は、透明なガラス製とすることもできる。本実施形態の飼育・植栽用具も、基本的な構成態様は、前記各実施形態に記載の容器１と共通する。本実施形態の容器１は、同図に示すように、縦長の水槽部２の上縁に、周方向に上縁植栽部４が形成されているものである。本実施形態の容器１には、内部植栽部及び側面植栽部は備えられておらず、水槽部２内を外部から良く見ることができるようにしてある。上縁植栽部４の構成及び機能については、前記各実施形態に記載の容器１と共通する。
【００１９】
（実施形態８）
また、前記実施形態７に記載の透明なガラス製の容器１は、図８（ａ）（ｂ）に示す形状とすることもできる。本実施形態の飼育・植栽用具も、基本的な構成態様は、前記各実施形態に記載の容器１と共通する。本実施形態の容器１は、容器１全体の外形が略球状に形成され、水槽部２の上縁に周方向に上縁植栽部４が形成されているものである。本実施形態の容器１も、前記実施形態７と同様に、内部植栽部及び側面植栽部は備えられておらず、水槽部２内を外部から良く見ることができるようにしてある。上縁植栽部４の構成及び機能については、前記各実施形態に記載の容器１と共通する。
【００２０】
（実施形態９）
また、前記実施形態７及び８に記載の透明なガラス製の容器１は、図９（ａ）（ｂ）に示す形状とすることもできる。本実施形態の飼育・植栽用具も、基本的な構成態様は、前記各実施形態に記載の容器１と共通する。本実施形態の容器１は、容器１全体の外形が略金魚鉢型に形成され、略球状の水槽部２の上縁に周方向に上縁植栽部４が形成されているものである。本実施形態の容器１も、前記実施形態７及び８と同様に、内部植栽部及び側面植栽部は備えられておらず、水槽部２内を外部から良く見ることができるようにしてある。上縁植栽部４の構成及び機能については、前記各実施形態に記載の容器１と共通する。
【００２１】
（その他の実施形態）
本発明の飼育・植栽用具の形状及び構造は、前記各実施形態に記載のものには限られない。本発明の飼育・植栽用具の形状及び構造は、水槽部を備え、水槽部の内部又は周辺に、内部植栽部、上縁植栽部、側面植栽部のうち一種類又は二種類以上備える構造を有するものであれば、任意の形状及び構造とすることができる。
【００２２】
本発明の飼育・植栽用具の素材は、前記各実施形態に記載の陶器とガラスには限られない。本発明の飼育・植栽用具の形状及び構造は、陶器と透明なガラスには限られず、素焼きや、プラスチックや、曇りガラスや、木材や、金属や、その他の樹脂等任意の素材とすることができる。例えば、プラスチックの場合には、大型のものであっても比較的低コストで作ることが可能であることや、冬季に容器を野外に置く場合であっても、水の凍結によって損傷を受けにくい等の利点がある。また、前記各実施形態においては、容器は同一材料で一体成形されていたが、容器は、同一材料で別体に成形した水槽部、内部植栽部、上縁植栽部、側面植栽部を組み合わせるようにすることもできる。また、同一材料以外の材料を用いて容器を作ることもできる。
【産業上の利用可能性】
【００２３】
本発明の飼育・植栽用具は、小〜中型程度の大きさのものであれば、手軽なアクアリウムやアクアテラリウム用の用具として用いることができ、家庭での簡易オアシスとして玄関やリビング、庭先等に設置したり、家庭以外であっても、店頭や店舗内の装飾等に用いることができる。また、大型のものは本格的なビオトープ用アクアリウムやアクアテラリウム用の用具として用いることができ、駅舎やホテルや空港のロビー等の屋内や、自然の少ない公園等の屋外に備えることができ、鑑賞用の他、生物の生息場所の確保可能なビオトープを実現することができる。
【図面の簡単な説明】
【００２４】
【図１】（ａ）は、本発明の飼育・植栽用具の実施形態の一例を示す斜視図。（ｂ）は、（ａ）に示す飼育・植栽用具の側面断面図。
【図２】（ａ）は、本発明の飼育・植栽用具の実施形態の他の一例を示す斜視図。（ｂ）は、（ａ）に示す飼育・植栽用具の側面断面図。
【図３】（ａ）は、本発明の飼育・植栽用具の実施形態の他の一例を示す斜視図。（ｂ）は、（ａ）に示す飼育・植栽用具の側面断面図。
【図４】（ａ）は、本発明の飼育・植栽用具の実施形態の他の一例を示す斜視図。（ｂ）は、（ａ）に示す飼育・植栽用具の側面断面図。
【図５】（ａ）は、本発明の飼育・植栽用具の実施形態の他の一例を示す斜視図。（ｂ）は、（ａ）に示す飼育・植栽用具の側面断面図。
【図６】（ａ）は、本発明の飼育・植栽用具の実施形態の他の一例を示す斜視図。（ｂ）は、（ａ）に示す飼育・植栽用具の側面断面図。
【図７】（ａ）は、本発明の飼育・植栽用具の実施形態の他の一例を示す斜視図。（ｂ）は、（ａ）に示す飼育・植栽用具の側面断面図。
【図８】（ａ）は、本発明の飼育・植栽用具の実施形態の他の一例を示す斜視図。（ｂ）は、（ａ）に示す飼育・植栽用具の側面断面図。
【図９】（ａ）は、本発明の飼育・植栽用具の実施形態の他の一例を示す斜視図。（ｂ）は、（ａ）に示す飼育・植栽用具の側面断面図。
【符号の説明】
【００２５】
１  容器
２  水槽部
３  内部植栽部
４  上縁植栽部
５  側面植栽部
７ａ〜ｃ  植物
８  魚類
９  土壌
１０  給水孔
１１  開口部
１２  排水孔
【図１】
2005168419.tif 000003
【図２】
2005168419.tif 000004
【図３】
2005168419.tif 000005
【図４】
2005168419.tif 000006
【図５】
2005168419.tif 000007
【図６】
2005168419.tif 000008
【図７】
2005168419.tif 000009
【図８】
2005168419.tif 000010
【図９】
2005168419.tif 000011